(57)【要約】【課題】感圧入力装置に使用することができる入力用ペン先を有した筆記体が、軸筒に対して容易に着脱することができるスライド繰出式多芯筆記具を提供する。【解決手段】軸筒の後端部にヒンジで接続した蓋体にて前記切欠窓の後端を開閉させて筆記体を交換可能とし、切欠窓より突出させた操作体の突部をスライドさせることにより、筆記体のペン先を軸筒の先端開口から出没させる構造のスライド繰出式多芯筆記具であって、複数の筆記体の少なくとも一つを、感圧式入力装置に用いる入力用ペン先とする。【選択図】          図３
2010208030.tif 000002
【特許請求の範囲】
【請求項１】
軸部の前方にペン先を有した筆記体の後方部に操作体を連結して一体と成し、前方に先端開口を有し後方に切欠窓を有した軸筒内に前記筆記体を収容すると共に、前記軸筒の後端部にヒンジで接続した蓋体にて前記切欠窓の後端を開閉させて前記筆記体を交換可能とし、前記切欠窓より突出させた前記操作体の突部をスライドさせることにより、前記筆記体のペン先を前記軸筒の先端開口から出没させる構造のスライド繰出式多芯筆記具であって、前記複数の筆記体の少なくとも一つを、感圧式入力装置に用いる入力用ペン先としたことを特徴とするスライド繰出式多芯筆記具。
【請求項２】
軸部の前方にペン先を有した筆記体の後方部に操作体を連結して一体と成し、前方に先端開口を有し後方に切欠窓を有した軸筒内に前記筆記体を収容すると共に、前記軸筒の後端部にヒンジで接続した蓋体にて前記切欠窓の後端を開閉させて前記筆記体を交換可能とし、前記切欠窓より突出させた前記操作体の突部をスライドさせることにより、前記筆記体のペン先を前記軸筒の先端開口から出没させる構造のスライド繰出式多芯筆記具用の筆記体であって、前記筆記体のペン先が、感圧式入力装置に用いる入力用ペン先としたことを特徴とするスライド繰出式多芯筆記具用の筆記体。
【発明の詳細な説明】
【技術分野】
【０００１】
本発明は、軸筒の後端部にヒンジで接続した蓋体を開閉させて筆記体を交換可能とし、軸筒側面に形成した切欠窓より突出した操作体の突部をスライドさせることにより、筆記体のペン先を軸筒の先端開口から出没させる構造のスライド繰出式多芯筆記具およびその筆記体に関する。
【背景技術】
【０００２】
従来、１本の軸筒内に、ボールペンレフィルやシャープペンシル体と、感圧式入力装置に使用するためのいわゆる入力ペンとを組合わせて収容した構造のスライド繰出式多芯筆記具が、例えば特開平７−２９０８８５号公報や特開平８−２１６５９０号公報に開示されており、市場にも商品が存在している。また、軸筒内に複数収容した筆記体を、軸筒の後端部にヒンジで接続した蓋体を開放することにより、ユーザーの好みに応じて交換できる構造のスライド繰出式多芯筆記具が、例えば特開２００７−３８６３５号公報に開示されており、市場にも商品が存在している。
【先行技術文献】
【特許文献】
【０００３】
【特許文献１】特開平７−２９０８８５号公報
【特許文献２】特開平８−２１６５９０号公報
【特許文献３】特開２００７−３８６３５号公報
【発明の概要】
【発明が解決しようとする課題】
【０００４】
ところで、前述の特開２００７−３８６３５号公報に記載されている構造の筆記具は、ユーザーが必要に応じて、蓋体を開閉することで簡単に筆記体を交換できるため、利便性がよく広く普及されているが、紙などに筆記を行うためのボールペンレフィルやシャープペンシル体あるいはマーカーペン等を筆記体として考えられているものの、電子機器に用いられている感圧式入力装置に使用することはできなかった。一方、特開平７−２９０８８５号公報や特開平８−２１６５９０号公報に開示された筆記具では、感圧式入力装置に使用する入力用ペン先を有する筆記体が繰出可能に軸筒内に収容されていることから、必要に応じて感圧式入力装置に使用できるものの、筆記体の交換のしやすさについては配慮がなされておらず、ペン先の繰出を行うための操作体と、先端にペン先を有する筆記体とが別々になっていることから、筆記体の交換に際しては、ユーザーが交換する筆記体を軸筒内に残っている操作体に対して連結を行うという作業が必要となり、さらに筆記体を交換する場合には軸筒を中間部で分割する必要があり、交換がしにくいという問題があった。
【０００５】
本発明の目的は、感圧入力装置に使用することができる入力用ペン先を有した筆記体を、軸筒内に容易に交換することができるスライド繰出式多芯筆記具を提供することを目的とする。
【課題を解決するための手段】
【０００６】
本発明は、
「１．軸部の前方にペン先を有した筆記体の後方部に操作体を連結して一体と成し、前方に先端開口を有し後方に切欠窓を有した軸筒内に前記筆記体を収容すると共に、前記軸筒の後端部にヒンジで接続した蓋体にて前記切欠窓の後端を開閉させて前記筆記体を交換可能とし、前記切欠窓より突出させた前記操作体の突部をスライドさせることにより、前記筆記体のペン先を前記軸筒の先端開口から出没させる構造のスライド繰出式多芯筆記具であって、前記複数の筆記体の少なくとも一つを、感圧式入力装置に用いる入力用ペン先としたことを特徴とするスライド繰出式多芯筆記具。
２．軸部の前方にペン先を有した筆記体の後方部に操作体を連結して一体と成し、前方に先端開口を有し後方に切欠窓を有した軸筒内に前記筆記体を収容すると共に、前記軸筒の後端部にヒンジで接続した蓋体にて前記切欠窓の後端を開閉させて前記筆記体を交換可能とし、前記切欠窓より突出させた前記操作体の突部をスライドさせることにより、前記筆記体のペン先を前記軸筒の先端開口から出没させる構造のスライド繰出式多芯筆記具用の筆記体であって、前記筆記体のペン先が、感圧式入力装置に用いる入力用ペン先としたことを特徴とするスライド繰出式多芯筆記具用の筆記体。」である。
【０００７】
入力用のペン先の材質は、樹脂，金属，木，セラミック等の材質で形成することが可能であり、また使用する電子機器に用いられている感圧入力装置の仕様に応じて適宜設定して、軸筒内に異なる種類の入力用ペン先を有した筆記体を収容することも可能である。
【発明の効果】
【０００８】
本発明は、前述した構成なので、感圧入力装置に使用する入力用ペン先を有した筆記体を、ユーザーが簡単に軸筒へ装着して使用することができるスライド繰出式多芯筆記具を提供することができた。
【図面の簡単な説明】
【０００９】
【図１】図１は、本実施例のスライド繰出式多芯筆記具であり、入力用ペン先を突出させた状態の図である。
【図２】図２は、ボールペンチップを突出させた状態の図である。
【図３】図３は、入力用ペン先を有した筆記体を取り出した状態の図である。
【図４】図４は、繰出機構の概略を示す断面図である。
【図５】図５は、他の実施例における筆記体を交換する際の図である。
【発明を実施するための形態】
【００１０】
以下、図面を参照して本発明の実施例を説明する。尚、図面中同じ部材、同じ部品については同じ番号を付してある。本実施例の説明においてはペン先がある方を前方と表現し、反対側を後方と表現する。
【実施例】
【００１１】
図１から図４に示したスライド繰出式多芯筆記具１は、図１，図２に示すように前軸２と後軸３とを螺合して軸筒本体４を構成し、後軸３内に配した筆記体５，６にそれぞれ連結した操作体７，８の突部７ａ，８ａを、後軸３の後方に形成した切欠窓３ａからそれぞれ突出させている。また図３に示すように、軸筒本体４には、ボールペンチップを先端に有する筆記体（図示せず）に連結した操作体９を前述の操作体７，８と同様に配設してある。
また、後軸３の後方部には後軸３の側面に配したクリップ１０の基部１０ａを連設してあり、クリップ１０の基部１０ａには、蓋体１１の蓋本体部１１ａに延設した脚部１１ｂを回動可能に保持させてある。尚、蓋本体部１１ａの上面には二つの掛止孔１１ｃを設けてあり、蓋本体部１１ａを閉じた状態においては、後軸３に形成した二つの掛止爪３ｂを蓋本体部１１ａの掛止孔１１ｃに掛止させて、図４に示す軸筒４内のコイルバネ１２で後方に弾発された操作体７，８が飛び出さないように蓋本体部１１ａで押さえてある。
【００１２】
図４に示すように本実施例の筆記体５は、透明な筒状の軸部材５ａの前方部に、感圧式入力装置に用いる先端が丸い入力用ペン先５ｂを挿着して成しており、軸部材５ａの後方には操作体７の前端小径部７ｂを挿着して一体に連結してある。また筆記体６は、透明な筒状の軸部材６ａの前方部にボールペンチップ６ｂを挿着して成しており、軸部材６ａの後方には操作体８の前端小径部８ｂを挿着して一体に連結してある。
【００１３】
次に、本実施例のスライド繰出式多芯筆記具における繰出操作について説明を行う。図４に示すように、筆記体５の入力用ペン先５ｂを前軸２の先端開口部２ａから突出させた状態では、操作体７の後端部に形成した係止突起７ｃが後軸３の内面に形成した係止受部３ｃに係止して、図１に示すように入力用ペン先５ｂが軸筒４の先端開口部２ａから突出した状態を維持させている。この状態から、操作体８の突部８ａを内側に押圧しながら前方へスライドさせることで、操作体８に形成した係止解除突起８ｄにより係止受部３ｃに係止してある筆記体５に連結した操作体７の係止突起７ｃを解除して、筆記体５の入力用ペン先５ｂを軸筒４内に没入させ、さらに操作体８を前進させることにより、操作体８の後端部に形成した係止突起８ｃを係止受部３ｃに係止させ、図２に示すようにボールペンチップ６ｂが軸筒４の先端開口部２ａから突出した状態を維持させることができた。このようにペン先の繰出操作は、後軸３の切欠窓３ａから突出させた各操作体の突部をスライドさせることによって、繰り返し行うことができる。
【００１４】
図５は、前記した操作体８を連結した筆記体６に替えて、軸部材１３ａの前方に先端が球形状である入力用ペン先１３ｂを挿着して成した筆記体１３に交換する時の図である。図に示すように、蓋体１１を開放することで、筆記体６を切欠窓３ａから後方へ操作体８ごと抜き取ることができ、代わりに前述の操作体７，８と同様の操作体１４を軸部材１３ａの後方に連結してある筆記体１３を、軸筒４内に収容して、簡単に交換することができた。
【産業上の利用可能性】
【００１５】
本発明は、感圧入力装置に使用することができる入力用ペン先を有した筆記体と組合わせ、例えばボールペンレフィルやシャープペンシル体あるいはマーカーペンと組合わせることで、感圧入力装置に使用しながらも、必要に応じて、操作体のスライドにより他の筆記体のペン先を突出させて、メモ用紙などに筆記を行うことができ、また軸筒内に異なる先端形状あるいは異なる硬度の入力用ペン先を有する筆記体を複数収容させることで、様々な感圧入力装置に適合させることが可能となる。
【符号の説明】
【００１６】
１…スライド繰出式多芯筆記具、
２…前軸、２ａ…先端開口部、
３…後軸、３ａ…切欠窓、３ｂ…掛止爪、３ｃ…係止受部、
４…軸筒本体、５…筆記体、５ａ…軸部材、５ｂ…入力用ペン先、
６…筆記体、６ａ…軸部材、６ｂ…ボールペンチップ、
７…操作体、７ａ…突部、７ｂ…前端小径部、７ｃ…係止突起、
８…操作体、８ａ…突部、８ｂ…前端小径部、８ｃ…係止突起、８ｄ…係止解除突起、
９…操作体、１０…クリップ、１０ａ…基部、
１１…蓋体、１１ａ…蓋本体部、１１ｂ…脚部、１１ｃ…掛止孔、
１２…コイルバネ、
１３…筆記体、１３ａ…軸部材、１３ｂ…入力用ペン先、
１４…操作体。
【図１】
2010208030.tif 000003
【図２】
2010208030.tif 000004
【図３】
2010208030.tif 000005
【図４】
2010208030.tif 000006
【図５】
2010208030.tif 000007